(57)【特許請求の範囲】
【請求項１】
コネクタ位置保証デバイス（１０００）であって、
頂表面（１００５）、底表面（１００６）、前端部（１００７）および後端部（１００８）、前記頂表面（１００５）から延在するラッチ係合突起（１０１０）を有するベース部（１００３）と、
前記ベース部（１００３）の前記前端部（１００７）から前記ベース部（１００３）の前記後端部（１００８）から離れる方向へ延在する梁（１００２）と、を備え、前記梁（１００２）は、頂側部（１０１２）、底側部（１０１３）、梁前端部（１０１４）、および梁後端部（１０１５）、相手コネクタ係合突起（１０１６）を有し、前記梁後端部（１０１５）は、前記前端部（１００７）に取り付けられ又はそれと一体になっており、前記相手コネクタ係合突起（１０１６）は、前記梁（１００２）の前記頂側部（１０１２）に近接して設けられた弾性的に変形可能な頂脚部（１０３２）から延在し、前記相手コネクタ係合突起（１０１６）は、前記底側部（１０１３）から離れる方向へ延在し、
前記コネクタ位置保証デバイス（１０００）は、相手コネクタ（１００）が前記相手コネクタ係合突起（１０１６）と協働して前記相手コネクタ係合突起（１０１６）と弾性的に変形可能な前記頂脚部（１０３２）を前記梁（１００２）の前記底側部（１０１３）に向かって力を加えるまで、コネクタの初期位置に維持され、
第１および第２のノッチ（１０２０，１０２１）が、前記相手コネクタ係合突起（１０１６）に近接して前記梁（１００２）の前記頂側部（１０１２）に沿って設けられ、
前記第１のノッチ（１０２０）は、前記第１のノッチ（１０２０）の底壁（１０２４）に基本的に垂直である側壁（１０２３）を有し、
前記側壁（１０２３）は、前記相手コネクタ係合突起（１０１６）と前記弾性的に変形可能な前記頂脚部（１０３２）が前記梁（１００２）の前記底側部（１０１３）に向かって移動するまで、前記コネクタ位置保証デバイス（１０００）の移動を防止するストップ表面として働く、
コネクタ位置保証デバイス（１０００）。
【請求項２】
前記梁（１００２）は、前記梁（１００２）の一部を貫通して延在して前記頂脚部（１０３２）と底脚部（１０３４）を形成する開口（１０３０）を有する請求項１に記載のコネクタ位置保証デバイス（１０００）。
【請求項３】
前記相手コネクタ係合突起（１０１６）は、前記梁前端部（１０１４）と前記梁後端部（１０１５）との間の略中程に配置される請求項１に記載のコネクタ位置保証デバイス（１０００）。
【請求項４】
他の第１のノッチおよび他の第２のノッチ（１０１７，１０１８）が、前記梁（１００２）の前記底側部（１０１３）に沿って設けられ、
前記他の第１のノッチおよび他の第２のノッチ（１０１７，１０１８）は、傾斜された又は角度付けられた側壁（１０１９）を有する請求項１に記載のコネクタ位置保証デバイス（１０００）。
【請求項５】
電気コネクタアセンブリであって、
ラッチ（２２）を有するプラグ（１０）と、
ヘッダ（１００）と、
ベース部（１００３）、第１の梁および第２の梁を有するコネクタ位置保証デバイス（１０００）と、
前記第１の梁および第２の梁の頂脚部（１０３２）上に設けられた第１のノッチ（１０２０）と第２のノッチ（１０２１）と、
前記プラグ（１０）上のコネクタ位置保証係合突起（３２）と、を備え、
前記第１の梁および第２の梁は、前記ベース部（１００３）から延在し、前記ベース部（１００３）は、ラッチ係合突起（１０１０）を有し、第１の梁は、第１のコネクタ係合突起を有し、および第２の梁は、第２のコネクタ係合突起を有し、
前記第１および第２のコネクタ係合突起は、前記プラグ（１０）が前記ヘッダ（１００）に嵌合されると、弾性的に起動され、
前記第１および第２のコネクタ係合突起と前記ラッチ係合突起（１０１０）は、前記プラグ（１０）が前記ヘッダ（１００）に完全に嵌合されると前記プラグ（１０）と協働して、前記プラグ（１０）の前記ヘッダ（１００）からの不注意な除去を防止し、
前記コネクタ位置保証係合突起（３２）は、第１および第２のノッチ（１０２０，１０２１）に近接しており、
前記プラグ（１０）が前記ヘッダ（１００）に嵌合されると、前記コネクタ位置保証係合突起（３２）は、前記第１のノッチ（１０２０）との係合から前記第２のノッチ（１０２１）との係合に移動する
電気コネクタアセンブリ。
【請求項６】
前記第１および第２のコネクタ係合突起は、前記プラグ（１０）中のチャネル（４０）を介して前記コネクタ位置保証デバイス（１０００）の前記第１の梁および第２の梁から延在し、
前記プラグ（１０）が前記ヘッダ（１００）と嵌合されると、前記ヘッダ（１００）上のラッチング突起が前記第１および第２のコネクタ係合突起と係合して前記第１の梁および第２の梁の一部を弾性的に変形させる請求項５に記載の電気コネクタアセンブリ。
【請求項７】
前記ラッチ係合突起（１０１０）は、前記コネクタ位置保証デバイス（１０００）が着座位置にあると、ラッチ（２２）の起動を阻止する請求項５に記載の電気コネクタアセンブリ。
【発明の詳細な説明】
【技術分野】
【０００１】
本発明は、相手コネクタ同士が適切に嵌合されることを保証するために適切なコネクタ位置保証を提供するコネクタ位置保証デバイス、電気コネクタおよび電気コネクタアセンブリに関する。特に、小型のコネクタアセンブリに対して適切な位置保証を提供するコネクタ位置保証デバイス、電気コネクタおよび電気コネクタアセンブリに関する。
【背景技術】
【０００２】
特定の用途では、電子部品は、電気コンタクトを含む第１と第２のハウジングを接合する電気コネクタアセンブリを必要とする。一方のハウジングは、雄電気コンタクトを含むが、他方のハウジングは、雌電気コンタクトを含む。第１のハウジングは、雄電気コンタクトと雌電気コンタクトが電気的に接続されるように第２のハウジングの内側に受容されるように構成される。第１と第２のハウジングが電気的に係合された電気コンタクトと適切に接続されることを確実にするために、第１と第２のハウジングは、より一般的には、位置保証機能と呼ばれるラッチアセンブリを備える。既知の用途では、ラッチアセンブリは、ベースプレート、第２のハウジングの垂下された突起物と第２のハウジング上の斜面を含む。ベースプレートは、突起物のそばにスライド可能に保持される。第１のハウジングが、第２のハウジングの回りに挿入されると、突起物は、斜面上にスナップされ、次に、ベースプレートは、斜面および突起部上を係合位置にスライドされる。多くの用途では、コネクタが完全に嵌合したか否かを検出するために典型的には、聞き取れるクリックが使用されるが、アセンブリプラントにおける雑音によってこれが無効にされ得る。
【０００３】
加えて、コネクタ位置保証（ＣＰＡ）デバイスに加えて、ラッチすなわち保持アセンブリを利用して完全に嵌合された位置にコネクタの半分同士を維持する電気コネクタが、提案されている。コネクタの半分同士が嵌合され且つラッチすなわち保持アセンブリがコネクタの半分同士間の接触を維持するように配置されると、コネクタ位置保証デバイスは、コネクタの半分同士が適切に接続されることを示す位置に移動される。このように、コネクタ位置保証デバイスは、コネクタの半分同士が完全に嵌合されたことを保証するための手段を提供する。
【発明の概要】
【発明が解決しようとする課題】
【０００４】
既知のコネクタ位置保証デバイスは、第１と第２のハウジングに比較してかなりの空間を必要とする。その結果、既知のコネクタ位置保証デバイスでは、コネクタ位置保証デバイスがハウジングと相互作用する方法がコネクタサイズにより制限されるので、小さなコネクタでは、実用的ではない。加えて、既知のコネクタ位置保証デバイスを使用するときでさえ、大量のコネクタが、適切に嵌合することに失敗する。例えば、自動車のコネクタでの最大の保証の問題は、コネクタ同士が完全には嵌合せず、自動車がアセンブリプラントを離れた後にシステム欠陥を引き起こすことである。これは、車両アセンブリプラントで、幾つかのコネクタが初期の電気接触をするために十分に離れて嵌合されるが、コネクタのラッチが完全には係合せず、コネクタ同士が一緒にロックされないすなわち固定されない事実に起因する。これらのコネクタは、後で、車両がでこぼこの道等を運転されている時に、地面を離れ、システム機能の喪失を引き起こす。既知のコネクタ位置保証デバイスをコネクタに組み込んでも、多くの場合、オペレータがコネクタ位置保証デバイスを適切に起動しないと、コネクタが適切に嵌合され且つ固定されることは保証されない。
【課題を解決するための手段】
【０００５】
これらの課題を解決するめの手段は、小型コネクタアセンブリに対して適切なコネクタ位置保証を提供する、本明細書に記載されるようなコネクタ嵌合保証によって提供される。電気コネクタは、プラグ、ヘッダおよびコネクタ位置保証デバイスを有する。コネクタ位置保証デバイスは、第１と第２の突起を含む。第２の突起は、プラグとヘッダが完全に嵌合されると、プラグラッチによって起動される。
【０００６】
コネクタ位置保証デバイスは、ベース部およびそれから延在する複数の梁を有する。ベース部は、頂表面、底表面、ベース前端部とベース後端部、前記頂表面から延在するラッチ係合部を含む。前記梁の少なくとも１つは、前記ベース部の前記前端部から前記ベース部の前記後端部から離れる方向に延在する。前記梁の前記少なくとも１つは、頂側部、底側部、梁前端部および梁後端部を有し、前記梁後端部は、前記ベース前端部に取り付けられる又はそれと一体化されている。相手コネクタ係合突起が、前記梁の前記少なくとも１つの頂側部に近接して設けられた弾性変形可能第１の脚部から延在する。前記相手コネクタ係合突起は、前記底側部から離れる方向へ延在する。前記コネクタ位置保証デバイスは、前記相手コネクタが前記相手コネクタ係合突起と協働して前記突起および前記弾性変形可能第１の脚部に前記梁の前記少なくとも１つの前記底側部に向かって力を加えるまで、コネクタの初期位置に維持される。
【図面の簡単な説明】
【０００７】
本発明は、ここで、添付の図面を参照して、例として記載される。
【０００８】
【図１】ヘッダすなわち相手コネクタと嵌合されるプラグコネクタの斜視図である。
【０００９】
【図２】図１のプラグコネクタの頂部の斜視図である。
【００１０】
【図３】図１のヘッダすなわち相手コネクタの前部の斜視図である。
【００１１】
【図４】コネクタ位置保証部材の頂部の斜視図である。
【００１２】
【図５】ヘッダすなわち相手コネクタに部分的に嵌合されたプラグすなわちコネクタを示す、初期位置にあるコネクタ位置保証部材のラッチ係合部を通って切断された断面図である。
【００１３】
【図６】ヘッダすなわち相手コネクタに部分的に挿入されたプラグすなわちコネクタを示す、初期位置にあるコネクタ位置保証部材の各梁を通って切断された断面図である。
【００１４】
【図７】図５に示されるよりもヘッダすなわち相手コネクタにより完全に嵌合されたプラグすなわち相手コネクタを示す、依然初期位置にあるコネクタ位置保証部材のラッチ係合部を通って切断された断面図である。
【００１５】
【図８】図６に示されるよりもヘッダすなわち相手コネクタにより完全に嵌合されたプラグすなわち相手コネクタを示す、依然初期位置にあるコネクタ位置保証部材の各梁を通って切断された断面図である。
【００１６】
【図９】図７に示されるよりもヘッダすなわち相手コネクタにより完全に嵌合されたプラグすなわち相手コネクタを示す、依然初期位置にあるコネクタ位置保証部材のラッチ係合部を通って切断された断面図である。
【００１７】
【図１０】図８に示されるよりもヘッダすなわち相手コネクタにより完全に嵌合されたプラグすなわち相手コネクタを示す、依然初期位置にあるコネクタ位置保証部材の各梁を通って切断された断面図である。
【００１８】
【図１１】ヘッダすなわち相手コネクタに完全に嵌合されたプラグすなわちコネクタを示す、依然初期位置にあるコネクタ位置保証部材のラッチ係合部を通って切断された断面図である。
【００１９】
【図１２】ヘッダすなわち相手コネクタに完全に嵌合されたプラグすなわちコネクタを示す、依然初期位置にあるコネクタ位置保証部材の各梁を通って切断された断面図である。
【００２０】
【図１３】ヘッダすなわち相手コネクタに完全に嵌合されたプラグすなわちコネクタを示す、ロック位置に移動されたコネクタ位置保証部材のラッチ係合部を通って切断された断面図である。
【００２１】
【図１４】ヘッダすなわち相手コネクタに完全に嵌合されたプラグすなわちコネクタを示す、ロック位置に移動されたコネクタ位置保証部材の各梁を通って切断された断面図である。
【発明を実施するための形態】
【００２２】
本発明の原理に係る例証となる実施形態の記載は、全明細書の一部と考えられるべき添付の図面に関連して読まれることが意図されている。本明細書に開示される発明の実施形態の記載において、方向や方位への参照は、記載を簡便にするために過ぎず、本発明の範囲を制限することは全く意図していない。「下の」、「上の」、「水平な」、「垂直な」、「上方の」、「下方の」、「上」、「下」、「頂部」および「底部」並びにそれの派生語（例えば、「水平に」、「下方へ」、「上方へ」等）のような相対的用語は、次に記載されるように又はここで論じられている図面に示されるように方位を指すものと解釈されるべきである。これらの相対的用語は、記載の簡便さのために過ぎず、且つ明示的にその通りであるとの指摘がなされない限り、その装置が特定の方位に構成される又は動作されるべきであることを求めるものではない。「取り付けられる（ａｔｔａｃｈｅｄ）」、「貼り付けられる（ａｆｆｉｘｅｄ）」、「接続される（ｃоｎｎｅｃｔｅｄ）」、「連結される（ｃоｕｐｌｅｄ）」、「相互接続される（ｉｎｔｅｒｃоｎｎｅｃｔｅｄ）」等は、明白にそうでないと記載されない限り、構造体が直接的に又は介在構造体並びに両方が移動可能又は剛性取付け具又は移動可能又は剛性関係を介して互いに固定又は取り付けられる関係を指す。さらに、本発明の特徴と利点は、好適な実施形態を参照して説明される。従って、本発明は、単独で又は特徴の他の組合せにおいて存在し得る特徴の何らかの可能な非制限的組合せを説明するそのような好適な実施形態に制限されるべきではなく、本発明の範囲は、本明細書に添付の特許請求の範囲によって定義されるべきであることは明白である。
【００２３】
図１は、共にコネクタアセンブリ５０を形成する相手コネクタすなわちヘッダ１００と嵌合される電気コネクタすなわちプラグ１０の斜視図である。電気コネクタ１０と相手コネクタ１００は、代表として示されている。これらのコネクタ１０と１００は、コンタクトおよびコンタクトラッチのような多くの他の機能部を有し、それらは、図に示されていない。
【００２４】
図２を参照すると、電気コネクタ１０は、図示されていない、中にコンタクトを受容するためのコンタクト受容通路１４を有するハウジング本体１２を有する。電気コネクタ１０は、前方嵌合端部１６と後方端部１８を有する。コンタクト（図示せず）と電気的係合状態にある導体すなわちワイヤ１５は、通路１４内に挿入され且つ後方端部１８から延在する。第１のすなわち頂表面１９とその反対側に向く第２のすなわち底表面２１が、嵌合端部１６と後方端部１８との間に延在する。
【００２５】
係合表面２３とラッチング開口２４を有するラッチすなわちラッチアーム２２が、頂表面１９から延在する。図示の実施形態では、ラッチ２２は、前方嵌合端部１６に近接する頂表面１９に接続され且つ後方端部１８に向かって延在している。ラッチ２２は、以下でより十分に記載されるように、相手コネクタ１００をコネクタ１０にラッチし且つ固定するために使用される。
【００２６】
図６に示されるように、コネクタ位置保証（ＣＰＡ）受容開口３０がラッチアーム２２とハウジング本体１２との間に延在している。上部ノブすなわちコネクタ位置保証係合突起３２が、ハウジング本体１２の下部表面３３からコネクタ位置保証受容開口３０内に延在している。下部ノブすなわちコネクタ位置保証係合突起３４が、ハウジング本体１２の頂表面１９からコネクタ位置保証受容開口３０内に延在している。チャネル４０（図２）は、ラッチアーム２２および頂表面１９から延在する夫々の支持壁（図示せず）に近接して設けられる。チャネル４０は、より十分に論じられるように、コネクタ位置保証受容開口３０と協働して中にコネクタ位置保証部材１０００を収容する。
【００２７】
図３に最も良く示されるように、相手コネクタ１００は、コネクタ１０と相手コネクタ１００が非嵌合位置から嵌合位置に移動されると、ラッチアーム２２と係合するように配置される相補的ラッチング突起１１０を有する。図示の実施形態では、ラッチング突起１１０は、相手コネクタ１００のシュラウド１２０の表面１２２から延在する。
【００２８】
共に適切に嵌合されると、ラッチング突起１１０は、相手コネクタ１００を電気コネクタ１０と固定するように、ラッチング開口２４と協働し且つその中に配置される。嵌合位置において、コネクタ１０は、相手コネクタ１００のシュラウド１２０内に受容される。相手コネクタ１００の電気コンタクト１３０（図１１）は、電気コネクタ１０内の電気コンタクト（図示せず）と嵌合する。
【００２９】
コネクタ位置保証係合リブすなわち突起１４０は、ラッチング突起１１０の各側に設けられる。係合突起すなわちリブ１４０は、ラッチング突起１１０から離間され且つ相手コネクタ１００のシュラウド１２０の表面１２２から延在している。図示の実施形態では、ラッチング突起１１０は、係合突起１４０が表面１２２から離間するよりも表面１２２からさらに遠くに延在している。
【００３０】
図５〜図１４に示されるように、コネクタ位置保証デバイス１０００がコネクタ１０のラッチアーム２２に近接して配置されると共にそれに対して移動可能になっている。コネクタ位置保証デバイスは、コネクタ位置保証受容開口３０内に維持され且つ、図５に示されるように、第１の位置すなわち開口位置と、図１３に示されるように、第２のすなわち完全に挿入された位置との間で移動可能になっている。
【００３１】
図４を参照すると、コネクタ位置保証デバイス１０００は、ベース部１００３と二つの平行な梁１００２を有する略Ｕ字形状である。ベース部１００３は、一般的に、頂表面１００５、底表面１００６、ベース前端部１００７およびベース後端部１００８を有する矩形プレートである。梁１００２は、前端部１００７から後端部１００８から離れる方向へ延在している。ベース部１００３は、後でより十分に記載されるように、コネクタ位置保証デバイス１０００を手作業で係合するすなわち起動するために後端部１００８に沿って延在するプレスバー１００４を含む。図示の例証となる実施形態では、プレスバー１００４は、後端部１００８の全幅を横切って延在する。しかしながら、他の構成が、本発明の範囲から逸脱することなく使用されてもよい。ラッチ係合突起１０１０が、ベース部１００３の頂表面１００５から延在している。以下でさらに説明されるように、ラッチ係合突起１０１０は、ラッチ２２と相互作用する。
【００３２】
梁１００２は、図４に最も良く示されるように、一般的に、形状が矩形である。各梁１００２は、頂側部１０１２、底側部１０１３、梁前端部１０１４および梁後端部１０１５を有する。後端部１０１５は、ベース部１００３の前端部１００７に取り付けられる又はそれと一体になっている。相手コネクタ係合突起１０１６が、各梁１００２の頂側部１０１２から底側部１０１３から離れる方向へ延在している。図示の例証としての実施形態では、各突起１０１６は、梁１００２の弾性変形可能頂脚部すなわち第１の脚部１０３２から延在する。図示の例証としての実施形態では、突起１０１６は、梁１００２の前端部１０１４と後端部１０１５との間の中間に配置される。各梁１００２は、梁１００２の一部を貫通して延在して頂脚部１０３２と底脚部１０３４を形成する開口１０３０を有する。
【００３３】
第１と第２のノッチ１０１７，１０１８が梁１００２の底側部１０１３に沿って設けられる。第１と第２のノッチ１０１７と１０１８は、傾斜または角度付け側壁１０１９を有する。角度壁１０１９の傾斜は、コネクタ位置保証デバイス１０００を移動する又は着座するために必要な力を増減するように調節されることができる。第１と第２のノッチ１０２０，１０２１が、梁１００２の頂側部１０１２に沿って設けられる。第１と第２のノッチ１０２０，１０２１は、突起１０１６に近接して設けられる。第２のノッチ１０２１は、傾斜されたまたは角度付けされた側壁１０２２を有する。角度壁１０２２の傾斜は、コネクタ位置保証デバイス１０００を移動する又は着座するために必要な力を増減するように調節されることができる。第１のノッチ１０２０は、それらのノッチ１０２０の底壁１０２４に対して基本的に垂直である側壁１０２３を有する。側壁１０２３は、コネクタ位置保証デバイス１０００がコネクタ位置保証受容開口３０から除去されることを防止するためのストップ表面として働く。
【００３４】
図５〜図１４を参照すると、プラグすなわちコネクタ１０をヘッダすなわち相手コネクタ１００内に挿入する進行すなわち方法が示される。
【００３５】
図５と図６において、プラグコネクタ１０がヘッダコネクタ１００に緩く配置されている、最初に挿入されたコネクタ１０と相手コネクタ１００が示されている。この位置で、ラッチング突起１１０は、ラッチ２２と係合していない。図示のように、コネクタ位置保証デバイス１００は、第１のノッチ１０１７，１０２０の夫々の突起３４，３２との協働によって、嵌合前、開口すなわち第１の位置に維持されている。この位置では、ラッチ２２は、通常のすなわち偏向されていない位置にある。
【００３６】
コネクタ１０が相手コネクタ１００のシュラウド１２０内に部分的に挿入されると、図７と図８に示されるように、ラッチ２２の係合表面２３は、相手コネクタ１００のラッチング突起１１０と係合して係合表面２３とラッチ２２を弾性変形させる、起動させる又はコネクタ１０の底表面２１に向かってコネクタ１０の頂表面１９から離れるように偏向させる。加えて、コネクタ位置保証デバイス１０００の梁１００２に設けられた突起１０１６は、コネクタ位置保証係合突起１４０に近接する、隣接する又はそれと初期係合状態になるように移動される。
【００３７】
挿入が続くと、図９と図１０に示されるように、コネクタ位置保証デバイス１０００の梁１００２に設けられた突起１０１６は、コネクタ位置保証係合突起１４０の表面に沿って移動され、突起１０１６を梁１００２の底側部１０１３に向かって移動させる。これが起こると、頂脚部１０３２は、開口１０３０内に弾性的に変形され、それによって、頂側部１０１２の第１のノッチ１０２０が突起３２から離れるように移動されることができる。しかしながら、コネクタ位置保証デバイス１０００は、第１のノッチ１０１７の突起３４との協働によってコネクタ位置保証受容開口３０に対する相対位置に維持される。
【００３８】
挿入が続くと、図１１と図１２に示されるように、コネクタ１０は、相手コネクタ１００のシュラウド１２０内に完全に挿入される。この位置で、係合表面２３は、ラッチング突起１１０を越えて移動されて、ラッチ２２がその通常の非屈曲位置に跳ね返される。ラッチ２２がその非屈曲位置に戻ると、ラッチング突起１１０は、ラッチ２２の開口２４を通って挿入され、それによって、ラッチ２２をラッチング突起１１０にラッチしてコネクタ１０を相手コネクタ１００に固定する。
【００３９】
相手コネクタ１００のシュラウド１２０内に完全に挿入されたコネクタ１０では、コネクタ位置保証デバイス１０００は、図１３と図１４に示されるように、初期位置から係止位置に移動されることができる。コネクタ位置保証デバイス１０００を移動させるために、力すなわち圧力が挿入方向へプレスバー１００４に対して印加される。圧力が印加されると、突起３４は、角度付けられた側壁１０１９上をスライドし、突起３４が第１のノッチ１０１７から外に移動される。圧力が印加されると、コネクタ位置保証デバイス１０００は、嵌合端部１６に向かって受容開口３０内に移動される。連続挿入によって、コネクタ位置保証デバイス１０００の梁１００２に設けられた突起１０１６がコネクタ位置保証係合突起１４０の表面を越えて移動されて、突起１０１６が梁１００２の底側部１０１３から離れるように移動される。突起１０１６の移動は、頂脚部１０３２がそれらの無強制位置に向かって弾性的に戻らされる。挿入は、突起３２が頂側部１０１２の第２のノッチ１０２１内に移動され且つ突起３４が底側部１０１３の第２のノッチ１０１８内へ移動されるまで続く。この完全に挿入された位置において、ラッチ係合突起１０１０は、ラッチ２２の下方に配置され、それによって、ラッチ２２が下方へ移動されることを防止する。この位置で、ラッチ係合突起１０１０は、プラグラッチ２２の起動を阻止し、一方、それは、相手コネクタ１００からのコネクタ１０の望ましくないすなわち不注意な嵌合解除を防止する。
【００４０】
コネクタ１０は、相手コネクタ１１０から嵌合解除されるべき場合、コネクタ位置保証デバイス１０００は、初期位置に戻される。挿入とは反対方向へプレスバー１００４に印加される力によって、突起３４，３２は、角度付け側壁１０１９，１０２２上をスライドされ、突起３４，３２が第２のノッチ１０１８，１０２１から移動させられる。移動が続くと、ラッチ係合突起１０１０は、ラッチ２２から離れるように移動され、ラッチが押し下げられ、一方、それによって、コネクタ１０が相手コネクタ１１０から嵌合解除される。
【００４１】
初期位置からロック位置へのコネクタ位置保証デバイス１０００の挿入は、図５と図６に示されるように、コネクタ１０が相手コネクタ１００に嵌合されない場合に防止されることに留意されるべきである。第１のノッチ１０２０の壁１０２３は、先に記載されたように、頂脚部１０３２が開口１０３０内に弾性的に変形されない場合、第１のノッチ１０２０からの突起３２の除去を防止するように構成される。頂脚部１０３２は、突起１０１６の係合突起１４０との協働によって変形されるに過ぎないので、係合突起１４０が存在しない場合、コネクタ位置保証デバイス１０００は、閉鎖位置へ移動されることができない。
【００４２】
加えて、コネクタ位置保証デバイス１０００は、コネクタ１０が相手コネクタ１００に適切にすなわち完全に嵌合されていない場合、閉鎖すなわち係止位置に移動されることができない。図７と図９に示されるように、コネクタ１０が相手コネクタ１００内に完全に挿入されないすなわち不適切に挿入される場合、ラッチ２２が通常のすなわち非屈曲位置から屈曲され続ける。この位置で、ラッチ２２の係合表面２３は、係合突起１０１０の前端部および／又は前表面１０１１と係合でき、それによって、着座すなわち閉鎖位置に向かってのコネクタ位置保証デバイス１０００の挿入を防止すなわち阻止する。コネクタ位置保証デバイスが係止位置へ移動されることができないので、コネクタ１０が相手コネクタ１００内に適切に嵌合されず、且つこれは修正されなければならないことの指示を提供する。
【００４３】
本発明は、好適な実施形態を参照して記載されたが、添付の特許請求の範囲で定義されたように、本発明の精神および範囲から逸脱することなく、様々な変更が行われることができ且つ等価物がそれらの要素の代わりにされることができることが当業者には理解されている。特に、本発明は、本発明の精神や本質的な特徴から逸脱することなく、他の特定の形態、構造、配置、比率、サイズにおよび他の要素、材料および部品で具体化されることができることは、当業者には明白である。本発明は、構造、配置、比率、サイズ、材料および部品の多くの変更と共に使用されることができる或いは本発明の原理から逸脱することなく特定の環境および動作要求に特に適合する本発明の実施において使用されることができることが当業者には理解される。従って、ここで開示された実施形態は、あらゆる点に関して、説明的であり制限するものではないと考えられるべきであり、本発明の範囲は、添付の特許請求の範囲によって定義されるべきであり且つ前述の説明や実施形態に制限されるべきでない。
【図１】
0006419210.tif 000002
【図２】
0006419210.tif 000003
【図３】
0006419210.tif 000004
【図４】
0006419210.tif 000005
【図５】
0006419210.tif 000006
【図６】
0006419210.tif 000007
【図７】
0006419210.tif 000008
【図８】
0006419210.tif 000009
【図９】
0006419210.tif 000010
【図１０】
0006419210.tif 000011
【図１１】
0006419210.tif 000012
【図１２】
0006419210.tif 000013
【図１３】
0006419210.tif 000014
【図１４】
0006419210.tif 000015